【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
回転可能フレームと、
前記回転可能フレームに載架される複数の翼であって、前記翼は、前記回転可能フレームの回転軸と平行に延在し、前記翼は、前記回転可能フレームに対し個々に枢動可能である、複数の翼と、
前記翼が気流の方向に動くときは、前記複数の翼の各々を高揚力／高抗力位置に保持する機構と、
前記回転可能フレームの一部の周囲に延在するチャネルと、
前記複数の翼の各々の上のガイドであって、前記ガイドは、前記チャネルを通過するように寸法調節され、前記ガイドは、前記翼が気流の方向と反対方向に動くと、前記回転可能フレームに対する前記翼の回転を防止する、ガイドと
を備えている、風力タービン。
【請求項２】
前記ガイドは、前記翼が前記気流の方向と反対方向に動くと、前記翼を低抗力位置に位置付ける、請求項１に記載の風力タービン。
【請求項３】
回転可能フレームと、
前記回転可能フレームに載架される複数の翼であって、前記翼は、前記回転可能フレームの回転軸と平行に延在し、前記翼は、前記回転可能フレームに対し個々に枢動可能であり、前記翼は、気流の方向に動くときは、前記回転可能フレームに対して回転することが可能になる、前記複数の翼と、
前記翼が気流の方向に動くときは、前記複数の翼の各々を高揚力／高抗力位置に保持する機構と
を備えている、風力タービン。
【請求項４】
回転可能フレームと、
前記回転可能フレームに載架される複数の翼であって、前記翼は、前記回転可能フレームの回転軸と平行に延在し、前記翼は、前記回転可能フレームに対し個々に枢動可能であり、前記翼は、気流の方向に対向して動くときは、前記回転可能フレームに対して回転することが不可能になる、前記複数の翼と、
前記翼が気流の方向に動くときは、前記複数の翼の各々を高揚力／高抗力位置に保持する機構と
を備えている、風力タービン。
【請求項５】
前記機構は、
前記複数の翼の各々に接続され、前記翼が前記気流の方向に動いているときは、前記回転可能フレームに対する前記翼の枢動を制限し、前記翼の高抗力位置から低抗力位置への回転を防止する回転停止部を備える、請求項３または４に記載の風力タービン。
【請求項６】
前記回転停止部は、前記翼上の気流によって生じる揚力が、前記回転可能フレームを回転させるような位置に前記翼を配向する、請求項５に記載の風力タービン。
【請求項７】
前記回転停止部は、前記翼上の気流によって生じる抗力が、前記回転可能フレームを回転させるような位置に前記翼を配向する、請求項５に記載の風力タービン。
【請求項８】
前記回転可能フレームの回転軸と垂直な気流が、前記回転可能フレームを回転させる、請求項３または４に記載の風力タービン。
【請求項９】
前記回転可能フレームは、垂直軸の周りを回転する、請求項３または４に記載の風力タービン。
【請求項１０】
各翼は、前記翼の後縁よりも前記翼の前縁の近くに位置付けられる軸の周りを枢動する、請求項３または４に記載の風力タービン。
【請求項１１】
前記回転可能フレームに接触する発電機駆動輪をさらに備えている、請求項３または４に記載の風力タービン。
【請求項１２】
前記回転可能フレームは、発電機の回転子である、請求項３または４に記載の風力タービン。
【請求項１３】
回転可能フレームと、
前記回転可能フレームに載架される複数の翼であって、前記翼は、前記回転可能フレームの回転軸と平行に延在し、前記翼は、前記回転可能フレームに対し個々に枢動可能である、複数の翼と、
前記翼が気流の方向に動くときは、前記複数の翼の各々を高揚力／高抗力位置に保持する機構であって、前記翼が前記気流の方向と反対方向に動くときは、前記翼は、一連の翼の前縁および後縁が互いに接触するように寸法調節される、機構と、
前記複数の翼の各々に接続され、前記翼が前記気流の方向に動いているときは、前記回転可能フレームに対する前記翼の枢動を制限し、前記翼の高抗力位置から低抗力位置への回転を防止する回転停止部と
を備えている、風力タービン。
【請求項１４】
前記回転停止部は、前記翼上の気流によって生じる揚力が前記回転可能フレームを回転させるような位置に前記翼を配向する、請求項１３に記載の風力タービン。
【請求項１５】
前記回転停止部は、前記翼上の気流によって生じる抗力が前記回転可能フレームを回転させるような位置に前記翼を配向する、請求項１３に記載の風力タービン。
【請求項１６】
回転可能フレームと、
前記回転可能フレームに載架される複数の翼であって、前記翼は、前記回転可能フレームの回転軸と平行に延在し、前記翼は、前記回転可能フレームに対し個々に枢動可能である、複数の翼と、
前記翼が気流の方向に動くときは、前記複数の翼の各々を高揚力／高抗力位置に保持する機構であって、前記翼が前記気流の方向と反対方向に動くときは、前記翼は、一連の翼の前縁および後縁が互いに接触するように寸法調節される、機構と、
前記回転可能フレームの一部の周りに延在するチャネルと、
前記複数の翼の各々の上のガイドであって、前記ガイドは、前記チャネルを通過するように寸法調節され、前記ガイドは、前記翼が気流の方向と反対方向に動くとき、前記回転可能フレームに対する前記翼の回転を防止する、ガイドと
を備えている、風力タービン。
【請求項１７】
前記ガイドは、前記翼が前記気流の方向と反対方向に動くとき、低抗力位置に前記翼を位置付ける、請求項１６に記載の風力タービン。
【請求項１８】
前記回転可能フレームの回転軸と垂直な気流が、前記回転可能フレームを回転させる、請求項１３に記載の風力タービン。
【請求項１９】
前記回転可能フレームは、垂直軸の周りを回転する、請求項１３に記載の風力タービン。
【請求項２０】
各翼は、前記翼の後縁よりも前記翼の前縁の近くに位置付けられる軸の周りを枢動する、請求項１３に記載の風力タービン。
【請求項２１】
前記回転可能フレームに接触する発電機駆動輪をさらに備えている、請求項１３に記載の風力タービン。
【請求項２２】
前記回転可能フレームは、発電機の回転子である、請求項１３に記載の風力タービン。
【請求項２３】
前記翼は、前記気流の方向に動くときには、前記回転可能フレームに対し回転可能である、請求項１３に記載の風力タービン。
【請求項２４】
前記翼は、前記気流の方向の反対に動くときには、前記回転可能フレームに対し回転不可能である、請求項１３に記載の風力タービン。
【請求項２５】
前記翼は、湾曲している、請求項１３に記載の風力タービン。
【請求項２６】
前記翼は、前記翼上の気流の方向に垂直な方向に揚力を提供するような形状である、請求項２５に記載の風力タービン。
【手続補正２】
【補正対象書類名】明細書
【補正対象項目名】００１４
【補正方法】変更
【補正の内容】
【００１４】
本翼設計の第５の利点は、各翼が、その前縁の全長に沿って同一風速を受けることである。翼の前縁に沿って全地点において等しい風速を受けることによって、翼全長に沿って単一の単純翼断面が可能になる。したがって、垂直径ではなく、風力タービンの水平幅によって、発電が左右される。さらに、翼を装置の外周に配置することによって、最長可能トルク梃子アームがもたらされる。これによって、単位発生翼力当たりの最大トルクが得られる。
例えば、本発明は以下の項目を提供する。
（項目１）
回転可能フレームと、
上記回転可能フレームに載架される複数の湾曲翼であって、上記回転可能フレームの回転軸と平行に延在し、上記回転可能フレームに対し個々に枢動可能な湾曲翼と、
上記翼が気流の方向に移動するときは、上記湾曲翼の各々を高揚力／高抗力位置に保持する機構と
を備える、風力タービン。
（項目２）
上記機構は、
上記湾曲翼の各々に接続され、上記湾曲翼が上記気流の方向に移動しているときは、上記回転可能フレームに対する上記湾曲翼の枢動を制限し、上記湾曲翼の高抗力位置から低抗力位置への回転を防止する回転停止部を備える、項目１に記載の風力タービン。
（項目３）
上記回転停止部は、上記湾曲翼上の気流によって生じる揚力によって、上記回転可能フレームを回転させる位置に上記湾曲翼を配向する、項目２に記載の風力タービン。
（項目４）
上記回転停止部は、上記湾曲翼上の気流によって生じる抗力によって、上記回転可能フレームを回転させる位置に上記湾曲翼を配向する、項目２に記載の風力タービン。
（項目５）
回転可能フレームと、
上記回転可能フレームに載架される複数の翼であって、上記回転可能フレームの回転軸と平行に延在し、上記回転可能フレームに対し個々に枢動可能な翼と、
上記翼が気流の方向に移動するときは、上記翼の各々を高揚力／高抗力位置に保持する機構と、
上記回転可能フレームの一部の周囲に延在するチャネルと、
上記複数の翼の各々の上のガイドであって、上記チャネルを通過するように寸法調節され、上記翼が気流の方向と反対方向に移動すると、上記回転可能フレームに対する上記翼の回転を防止するガイドと
を備える、風力タービン。
（項目６）
上記ガイドは、上記翼が上記気流の方向と反対方向に移動すると、低抗力位置に上記翼を位置付ける、項目５に記載の風力タービン。
（項目７）
上記回転可能フレームの回転軸と垂直な気流によって、上記回転可能フレームを回転させる、項目１に記載の風力タービン。
（項目８）
上記回転可能フレームは、垂直軸を中心に回転する、項目１に記載の風力タービン。
（項目９）
各湾曲翼は、上記湾曲翼の後縁よりも上記湾曲翼の前縁に近接して位置付けられる軸を中心に枢動する、項目１に記載の風力タービン。
（項目１０）
上記回転可能フレームに接触する発電機駆動輪をさらに備える、項目１に記載の風力タービン。
（項目１１）
上記回転可能フレームは、発電機の回転子である、項目１に記載の風力タービン。
（項目１２）
回転可能フレームと、
上記回転可能フレームに載架される複数の翼であって、上記回転可能フレームの回転軸と平行に延在し、上記回転可能フレームに対し個々に枢動可能であって、気流の方向に移動するときは、上記回転可能フレームに対する回転が可能な翼と、
上記翼が気流の方向に移動するときは、上記翼の各々を高揚力／高抗力位置に保持する機構と
を備える、風力タービン。
（項目１３）
回転可能フレームと、
上記回転可能フレームに載架される複数の翼であって、上記回転可能フレームの回転軸と平行に延在し、上記回転可能フレームに対し個々に枢動可能であって、気流の方向に反して移動するときは、上記回転可能フレームに対する回転が不可能な翼と、
上記翼が気流の方向に移動するときは、上記翼の各々を高揚力／高抗力位置に保持する機構と
を備える、風力タービン。
（項目１４）
回転可能フレームと、
上記回転可能フレームに載架される複数の翼であって、上記回転可能フレームの回転軸と平行に延在し、上記回転可能フレームに対し個々に枢動可能な翼と、
上記翼が気流の方向に移動するときは、上記翼の各々を高揚力／高抗力位置に保持する機構であって、上記翼が上記気流の方向と反対方向に移動するときは、上記翼は、一連の翼の前縁および後縁が互いに接触するように寸法調節される、機構と
を備える、風力タービン。
（項目１５）
上記機構は、
上記翼の各々に接続され、上記翼が上記気流の方向に移動しているときは、上記回転可能フレームに対する上記翼の枢動を制限し、上記翼の高抗力位置から低抗力位置への回転を防止する回転停止部を備える、項目１４に記載の風力タービン。
（項目１６）
上記回転停止部は、上記翼上の気流によって生じる揚力によって、上記回転可能フレームを回転させる位置に上記翼を配向する、項目１５に記載の風力タービン。
（項目１７）
上記回転停止部は、上記翼上の気流によって生じる抗力によって、上記回転可能フレームを回転させる位置に上記翼を配向する、項目１５に記載の風力タービン。
（項目１８）
上記回転可能フレームの一部の周囲に延在するチャネルと、
上記複数の翼の各々の上のガイドであって、上記チャネルを通過するように寸法調節され、上記翼が気流の方向と反対方向に移動すると、上記回転可能フレームに対する上記翼の回転を防止するガイドと
をさらに備える、項目１４に記載の風力タービン。
（項目１９）
上記ガイドは、上記翼が上記気流の方向と反対方向に移動すると、低抗力位置に上記翼を位置付ける、項目１８に記載の風力タービン。
（項目２０）
上記回転可能フレームの回転軸と垂直な気流が、上記回転可能フレームを回転させる、項目１４に記載の風力タービン。
（項目２１）
上記回転可能フレームは、垂直軸を中心に回転する、項目１４に記載の風力タービン。
（項目２２）
各翼は、上記翼の後縁よりも上記翼の前縁に近接して位置付けられる軸を中心に枢動する、項目１４に記載の風力タービン。
（項目２３）
上記回転可能フレームに接触する発電機駆動輪をさらに備える、項目１４に記載の風力タービン。
（項目２４）
上記回転可能フレームは、発電機の回転子である、項目１４に記載の風力タービン。
（項目２５）
上記翼は、上記気流の方向に移動するときは、上記回転可能フレームに対し回転可能である、項目１４に記載の風力タービン。
（項目２６）
上記翼は、上記気流の方向に反して移動するときは、上記回転可能フレームに対し回転不可能である、項目１４に記載の風力タービン。
（項目２７）
上記翼は、湾曲している、項目１４に記載の風力タービン。
（項目２８）
上記翼は、上記翼上の気流の方向に垂直な方向に揚力を提供するような形状である、項目２７に記載の風力タービン。